(57)【特許請求の範囲】
【請求項１】
ドライバの入力電圧信号の瞬時値の検出に応じて、及び前記入力電圧信号の平均値の検出に応じてランプに出力電流を提供するためのアレンジメントであって、当該検出平均値によって除算された当該検出瞬時値の各々が比率を形成する、アレンジメントと、
前記入力電圧信号が前記ランプを調光するための調光器を介して提供されることを可能にするために、前記比率のうちの少なくとも一部を調整するための、前記入力電圧信号を受信する端子と前記アレンジメントとの間にある調整回路と、
を含む、１以上の発光ダイオードを含む、前記ランプを駆動するためのドライバ。
【請求項２】
前記調整回路は、前記入力電圧信号の周期の様々な部分の間、様々な態様で前記比率を調整する、請求項１に記載のドライバ。
【請求項３】
前記調整回路は、前記ドライバの入力電流信号が閾値よりも大きな瞬時値を有する時間間隔が増大されるように前記比率を調整する、請求項１に記載のドライバ。
【請求項４】
前記調整回路は、
前記入力電圧信号の前記検出瞬時値を調整するための第１の回路
を含む、請求項１に記載のドライバ。
【請求項５】
前記第１の回路は、前記入力電圧信号の周期の様々な部分の間、様々な態様で前記入力電圧信号の前記検出瞬時値を調整する、請求項４に記載のドライバ。
【請求項６】
前記第１の回路は、
前記入力電圧信号の周期の０度前後及び１８０度前後で前記入力電圧信号の第１のグループの前記検出瞬時値の急峻度を増大させるためのエッジ整形器、
前記入力電圧信号の周期の１度以上１７９度以下の間で前記入力電圧信号の第２のグループの前記検出瞬時値にタイムラグを導入するための遅延導入器、及び／又は、
前記入力電圧信号の周期の９０度前後で前記入力電圧信号の第３のグループの前記検出瞬時値をより正弦波にするための頂点整形器、
を含む、請求項４に記載のドライバ。
【請求項７】
前記エッジ整形器は第１のダイオードと第１の抵抗器との第１の並列接続を含み、前記遅延導入器は第１のキャパシタと第２の抵抗器との第２の並列接続を含み、前記頂点整形器は第３の抵抗器を含み、前記第１の並列接続の一方側は第１の基準電位に結合される第１の端子に結合され、前記第２の並列接続の一方側は前記第１の並列接続の他方側に結合され、前記第３の抵抗器の一方側は前記第２の並列接続の他方側に結合され、第４の抵抗器の一方側が前記第３の抵抗器の他方側と第５の抵抗器の一方側とに結合され、前記第４の抵抗器の他方側は前記入力電圧信号を受信するための第２の端子に結合され、前記第５の抵抗器の他方側は、第６の抵抗器と第２のキャパシタとの第３の並列接続の一方側と、前記アレンジメントに前記入力電圧信号の調整された前記検出瞬時値を提供するための前記アレンジメントの第１の入力とに結合され、前記第３の並列接続の他方側は前記第１の端子に結合される、請求項６に記載のドライバ。
【請求項８】
前記調整回路は、
前記入力電圧信号の前記検出平均値を調整するための第２の回路
を含む、請求項１に記載のドライバ。
【請求項９】
前記第２の回路は、
前記入力電圧信号の前記検出平均値の最小値を制限するためのリミッタ
を含む、請求項８に記載のドライバ。
【請求項１０】
前記リミッタは第７の抵抗器と第２のダイオードと第３のダイオードとを含み、前記第７の抵抗器の一方側は第２の基準電位に結合される第３の端子に結合され、前記第２のダイオードの一方側は前記第７の抵抗器の他方側と前記第３のダイオードの一方側とに結合され、前記第２のダイオードの他方側は第１の基準電位に結合される第１の端子に結合され、前記第３のダイオードの他方側は、第３のキャパシタの一方側と、第８の抵抗器の一方側と、第９の抵抗器の一方側とに結合され、前記第８の抵抗器の他方側は前記入力電圧信号を受信するための第２の端子に結合され、前記第３のキャパシタの他方側は前記第１の端子に結合され、前記第９の抵抗器の他方側は、第１０の抵抗器と第４のキャパシタとの第４の並列接続の一方側と、前記アレンジメントに前記入力電圧信号の調整された前記検出平均値を提供するための前記アレンジメントの第２の入力とに結合され、前記第４の並列接続の他方側は前記第１の端子に結合される、請求項９に記載のドライバ。
【請求項１１】
前記調整回路は、
前記入力電圧信号の前記検出平均値を変調するための第３の回路
を含む、請求項１に記載のドライバ。
【請求項１２】
前記第３の回路は、第１のトランジスタと第２のトランジスタとを含み、第１１の抵抗器の一方側が前記入力電圧信号を受信するための第２の端子に結合され、前記第１１の抵抗器の他方側は、前記第１のトランジスタの制御電極と、第１２の抵抗器を介して、第１の基準電位に結合される第１の端子とに結合され、前記第１のトランジスタの第１の主電極は前記第１の端子に結合され、前記第１のトランジスタの第２の主電極は、前記第２のトランジスタの制御電極と、第１３の抵抗器を介して、第２の基準電位に結合される第３の端子とに結合され、前記第２のトランジスタの第１の主電極は前記第１の端子に結合され、前記第２のトランジスタの第２の主電極は、第１４の抵抗器を介して、前記アレンジメントに前記入力電圧信号の変調された前記検出平均値を提供するための前記アレンジメントの第２の入力に結合される、
請求項１１に記載のドライバ。
【請求項１３】
前記調整回路は、
前記入力電圧信号の前記検出瞬時値を変調するための第４の回路
を含む、請求項１に記載のドライバ。
【請求項１４】
前記第４の回路は、第３のトランジスタと第４のダイオードとを含み、第１５の抵抗器の一方側が前記入力電圧信号を受信するための第２の端子に結合され、前記第１５の抵抗器の他方側は、前記第３のトランジスタの制御電極と、第１６の抵抗器を介して、第１の基準電位に結合される第１の端子とに結合され、前記第３のトランジスタの第１の主電極は前記第１の端子に結合され、前記第３のトランジスタの第２の主電極は、前記第４のダイオードの一方側と、第１７の抵抗器を介して、第２の基準電位に結合される第３の端子とに結合され、前記第４のダイオードの他方側は、前記アレンジメントに前記入力電圧信号の変調された前記検出瞬時値を提供するための前記アレンジメントの第１の入力に結合される、請求項１３に記載のドライバ。
【請求項１５】
請求項１に記載のドライバを含み、前記ランプ及び／又は前記調光器を更に含む、装置。
【発明の詳細な説明】
【技術分野】
【０００１】
本発明は、１以上の発光ダイオードを含むランプを駆動するためのドライバに関する。更に、本発明は装置に関する。
【０００２】
こうした装置の例は、ランプ及び調光器並びにこれらの部品である。
【背景技術】
【０００３】
米国特許出願公開第２０１１／０２８５３０１Ａ１号は、トライアック調光対応のスイッチングモード電源を開示する。こうしたスイッチングモード電源は、１以上の発光ダイオードを含むランプを駆動するために用いられる。このスイッチングモード電源は、力率補正コントローラを含み、１次側レギュレーション及び／又は２次側レギュレーションのためにフィードバックを用いる。
【０００４】
部品を節約し、コストを低減させるために１次側レギュレーションに基づくと同時に、比較的高い力率、及び比較的低い総高調波歪みを有するアレンジメントが市販されているが、これらのアレンジメントのうちの少なくとも一部は調光対応ではない。
【発明の概要】
【発明が解決しようとする課題】
【０００５】
本発明の目的は、改善されたドライバを提供することである。本発明の更なる目的は、改善された装置を提供することである。
【課題を解決するための手段】
【０００６】
第１の態様によると、
ドライバの入力電圧信号の瞬時値の検出に応じて、及び入力電圧信号の平均値の検出に応じてランプに出力電流を提供するためのアレンジメントであって、検出平均値によって除算された検出瞬時値の各々が比率を形成するアレンジメントと、
入力電圧信号がランプを調光するための調光器を介して提供されることを可能にするために、比率のうちの少なくとも一部を調整するための調整回路と、
を含む、１以上の発光ダイオードを含むランプを駆動するためのドライバが提供される。
【０００７】
アレンジメントは、ドライバの入力電圧信号の瞬時値を例えば第１の抵抗分圧器を介して検出し、入力電圧信号の平均値を例えば第２の抵抗分圧器を介して検出する。これらの検出に応じて、アレンジメントはランプに比較的一定の出力電流を提供する。
【０００８】
受信された平均値によって除算された、受信された瞬時値の各々は、比率であるとして規定される。入力電圧信号の周期毎に数個〜多数の瞬時値が検出されるという事実のために、数個〜多数の比率がある。ドライバを例えばトライアック調光対応等といった調光対応とするために、ドライバは、比率のうちの少なくとも一部を調整するための調整回路を備え、入力電圧信号がランプを調光するための調光器を介して提供されることを可能にする。
【０００９】
結果として、アレンジメント自体は調光対応ではないアレンジメントでさえ、今や調光対応のドライバにおいて用いられることができ、これは大きな利点である。
【００１０】
入力電圧信号は、例えば調光器を介してメイン電源に結合される整流器からの整流された正弦波であってよいが、他の種類の入力電圧信号は除外されるべきでない。アレンジメントは、集積回路の形式のアレンジメントであってよく、又は別の種類のアレンジメントであってもよい。アレンジメントは、１次側レギュレーションを有してよいが、他の種類のアレンジメントは除外されるべきでない。通常、アレンジメント自体は調光対応ではないが、アレンジメント自体が既に調光対応であるアレンジメントの性能を改善するために調整が用いられることを除外していない。ランプは任意の種類の、及び任意の組合せでの１以上の発光ダイオードを含む。
【００１１】
ドライバの実施形態は、入力電圧信号の周期の様々な部分の間、様々な態様で比率を調整する調整回路によって規定される。アレンジメント自体が調光対応ではないアレンジメントを調光器との組合せで用いるとき、入力電圧信号の周期の様々な部分の間、ドライバの調光対応性を改善するために様々な手段が導入される必要がある。したがって、調整回路は、入力電圧信号の周期の様々な部分の間、様々に挙動しなければならない。
【００１２】
ドライバの実施形態は、時間間隔の間、ドライバの入力電流信号が閾値よりも大きい瞬時値を有する当該時間間隔が増大されるように比率を調整する調整回路によって規定される。少なくとも一部の調光器は、ドライバの入力電流信号が比較的長い時間間隔の間、比較的低い値を有するのを好まない。
【００１３】
ドライバの実施形態は、入力電圧信号の検出瞬時値を調整するための第１の回路を含む調整回路によって規定される。比率のうちの少なくとも一部を調整するための１つの態様は、入力電圧信号の対応する検出瞬時値を調整することである。
【００１４】
ドライバの実施形態は、入力電圧信号の周期の様々な部分の間、様々な態様で入力電圧信号の検出瞬時値を調整する第１の回路によって規定される。前述のとおり、調整回路は、入力電圧信号の周期の様々な部分の間で、様々に挙動すべきである。
【００１５】
ドライバの実施形態は、
入力電圧信号の周期の０度前後及び１８０度前後で入力電圧信号の第１のグループの検出瞬時値の急峻度を増大させるためのエッジ整形器、
入力電圧信号の周期の１度以上１７９度以下の間で入力電圧信号の第２のグループの検出瞬時値にタイムラグを導入するための遅延導入器、及び／又は
入力電圧信号の周期の９０度前後で入力電圧信号の第３のグループの検出瞬時値をより正弦波にするための頂点整形器、
を含む第１の回路によって規定される。入力電圧信号の周期の０度前後及び１８０度前後の第１の部分と、入力電圧信号の周期の１度以上、好ましくは１０度以上、かつ１７９度以下、好ましくは１７０度以下の間の第２の部分と、入力電圧信号の周期の９０度前後の第３の部分との、入力電圧信号の周期の３つの異なる部分が区別され得る。第１の部分の間、エッジ整形器が入力電圧信号の検出瞬時値の急峻度を増大させる。第２の部分の間、遅延導入器が入力電圧信号の検出瞬時値にタイムラグを導入する。第３の部分の間、頂点整形器が入力電圧信号の検出瞬時値をより正弦波にする。
【００１６】
ドライバの実施形態は、第１のダイオードと第１の抵抗器との第１の並列接続を含むエッジ整形器と、第１のキャパシタと第２の抵抗器との第２の並列接続を含む遅延導入器と、第３の抵抗器を含む頂点整形器とによって規定され、第１の並列接続の一方側は第１の基準電位に結合される第１の端子に結合され、第２の並列接続の一方側は第１の並列接続の他方側に結合され、第３の抵抗器の一方側は第２の並列接続の他方側に結合され、第４の抵抗器の一方側が第３の抵抗器の他方側と第５の抵抗器の一方側とに結合され、第４の抵抗器の他方側は入力電圧信号を受信するための第２の端子に結合され、第５の抵抗器の他方側は、第６の抵抗器と第２のキャパシタとの第３の並列接続の一方側と、アレンジメントに入力電圧信号の調整された検出瞬時値を提供するための当該アレンジメントの第１の入力とに結合され、第３の並列接続の他方側は第１の端子に結合される。
【００１７】
ドライバの実施形態は、入力電圧信号の検出平均値を調整するための第２の回路を含む調整回路によって規定される。比率のうちの少なくとも一部を調整するための別の態様は、入力電圧信号の検出平均値を調整することである。好ましくは、入力電圧信号の検出平均値は、入力電圧信号の検出瞬時値の調整と併せて、しかし互いに異なる態様で調整される。
【００１８】
ドライバの実施形態は、入力電圧信号の検出平均値の最小値を制限するためのリミッタを含む第２の回路によって規定される。動作中の調光器は、入力電圧信号の平均値を低減させる。少なくとも一部のアレンジメントは、入力電圧信号の検出平均値の最小値が上げられ、及び／又はある最小値を下回らないときに、改善された調光対応性を示す。
【００１９】
ドライバの実施形態は、第７の抵抗器と第２のダイオードと第３のダイオードとを含むリミッタにより規定され、第７の抵抗器の一方側は第２の基準電位に結合される第３の端子に結合され、第２のダイオードの一方側は第７の抵抗器の他方側と第３のダイオードの一方側とに結合され、第２のダイオードの他方側は第１の基準電位に結合される第１の端子に結合され、第３のダイオードの他方側は、第３のキャパシタの一方側と、第８の抵抗器の一方側と、第９の抵抗器の一方側とに結合され、第８の抵抗器の他方側は入力電圧信号を受信するための第２の端子に結合され、第３のキャパシタの他方側は第１の端子に結合され、第９の抵抗器の他方側は、第１０の抵抗器と第４のキャパシタとの第４の並列接続の一方側と、アレンジメントに入力電圧信号の調整された検出平均値を提供するためのアレンジメントの第２の入力とに結合され、第４の並列接続の他方側は前記第１の端子に結合される。
【００２０】
ドライバの実施形態は、入力電圧信号の検出平均値を変調するための第３の回路を含む調整回路によって規定される。この第３の回路は、入力電圧信号の検出平均値を変調することによって、ドライバにブリーダ機能を追加する。
【００２１】
ドライバの実施形態は、第１のトランジスタと第２のトランジスタとを含む第３の回路によって規定され、第１１の抵抗器の一方側が入力電圧信号を受信するための第２の端子に結合され、第１１の抵抗器の他方側は、第１のトランジスタの制御電極と、第１２の抵抗器を介して、第１の基準電位に結合される第１の端子とに結合され、第１のトランジスタの第１の主電極は第１の端子に結合され、第１のトランジスタの第２の主電極は、第２のトランジスタの制御電極と、第１３の抵抗器を介して、第２の基準電位に結合される第３の端子とに結合され、第２のトランジスタの第１の主電極は第１の端子に結合され、第２のトランジスタの第２の主電極は、第１４の抵抗器を介して、アレンジメントに入力電圧信号の変調された検出平均値を提供するためのアレンジメントの第２の入力に結合される。
【００２２】
ドライバの実施形態は、  入力電圧信号の検出瞬時値を変調するための第４の回路を含む調整回路によって規定される。この第４の回路は、入力電圧信号の検出瞬時値を変調することによって、ドライバにブリーダ機能を追加する。
【００２３】
ドライバの実施形態は、第３のトランジスタと第４のダイオードとを含む第４の回路によって規定され、第１５の抵抗器の一方側が入力電圧信号を受信するための第２の端子に結合され、第１５の抵抗器の他方側は、第３のトランジスタの制御電極と、第１６の抵抗器を介して、第１の基準電位に結合される第１の端子とに結合され、第３のトランジスタの第１の主電極は前記第１の端子に結合され、第３のトランジスタの第２の主電極は、第４のダイオードの一方側と、第１７の抵抗器を介して、第２の基準電位に結合される第３の端子とに結合され、第４のダイオードの他方側は、入力電圧信号の変調された検出瞬時値をアレンジメントに提供するためのアレンジメントの第１の入力に結合される。
【００２４】
第２の態様によると、上述のドライバを含み、ランプ及び／又は調光器を更に含む装置が提供される。
【００２５】
利用可能なアレンジメントは、入力電圧信号の瞬時値及び平均値の検出に応じてランプに出力電流を提供する。基本的な発想は、比率を形成する検出平均値によって除算された検出瞬時値の各々に対して、入力電圧信号がランプを調光するための調光器を介して提供されることを可能にするために、比率のうちの少なくとも一部が調整されることである。
【００２６】
改善されたドライバを提供するための課題が解決される。更なる利点は、ドライバが、ロバストかつ低コストである利用可能なアレンジメント、及びロバストかつ低コストである調整回路に基づくことである。
【００２７】
本発明のこれらの及び他の態様は、以下に説明される実施形態から明らかとなり、これらの実施形態を参照して解明される。
【図面の簡単な説明】
【００２８】
【図１】メイン電源、調光器、整流インターフェース、ドライバ、及びランプを示す。
【図２】ドライバの実施形態を示す。
【図３】調整回路の実施形態を示す。
【図４】入力電流信号の従来技術の波形を示す。
【図５】入力電圧信号の従来技術の波形及び改善された波形を示す。
【図６】入力電流信号のシミュレートされた波形を示す。
【図７】入力電流信号の測定波形を示す。
【図８】調光曲線を示す。
【図９】入力電圧信号の検出平均値を変調するための第３の回路を示す。
【図１０】入力電圧信号の検出瞬時値を変調するための第４の回路を示す。
【図１１】市販されている従来技術のアレンジメントを示す。
【発明を実施するための形態】
【００２９】
図１において、メイン電源４、調光器３、整流インターフェース５、ドライバ１、及びランプ２が示される。メイン電源４は、例えば５０Ｈｚで２２０ボルト、又は６０Ｈｚで１１０ボルトのメイン電圧信号を提供するが、他の電圧及び周波数を除外していない。調光器３は、例えば、動作の際メイン電圧信号の周期（の半分）の一部分の間は導通し、メイン電圧信号の周期（の当該半分）の他の部分の間は非導通するトライアック調光器であるが、他の種類の調光器を除外していない。整流インターフェース５は、例えば変圧器と、整流器と、１以上のフィルタとを含む。ドライバ１の実施形態は、図２においてより詳細に示される。ランプ２は、１以上の発光ダイオードを含む。
【００３０】
図２において、ドライバ１の実施形態が示される。ランプ２を駆動するためのこのドライバ１は、ドライバ１の入力電圧信号の瞬時値の検出に応じて、及び入力電圧信号の平均値の検出に応じてランプ２に出力電流を提供するためのアレンジメント１１を含む。ドライバ１の入力電圧信号は、整流インターフェース５の出力電圧信号である。アレンジメント１１は、例えば、図１１においてより詳細に示されるようなＳＯＩＣ‐８のパッケージにおいて利用可能なＡＰ１６８２である。ドライバ１は、例えば、米国特許出願公開第２０１１／０２８５３０１Ａ１号においても示されるようなスイッチと変圧器とを含む出力インターフェース１３を更に含む。出力インターフェース１３の入力は、アレンジメント１１の出力１６に結合される。
【００３１】
従来技術の状況では、アレンジメント１１の第１の入力１４と第２の入力１５とは、抵抗分圧器（示されていない）を介して整流インターフェース５の出力に結合される。第１の入力１４は、ドライバ１の入力電圧信号の瞬時値の検出を受信し、第２の入力１５は、入力電圧信号の平均値の検出を受信する。
【００３２】
このアレンジメント１１は、部品を節約し、コストを低減させ、かつ、比較的高い力率、及び比較的低い総高調波歪みを有する１次側レギュレーションを有する。不都合にも、このアレンジメント１１は、一部の他のアレンジメントと同様に調光対応ではない。
【００３３】
ドライバ１がアレンジメント１１を含むときにドライバ１を調光対応とするために、調整回路１２が導入されるべきである。この調整回路１２は、ドライバ１の入力電圧信号がランプ２を調光するための調光器３を介して提供されることを可能にするために、検出のうちの少なくとも一部を調整する。このために、検出平均値によって除算された検出瞬時値の各々は比率であると規定され、比率のうちの少なくとも一部が調整回路１２によって調整されるべきである。好ましくは、調整回路１２は、ドライバ１の入力電圧信号の周期の様々な部分の間、様々な態様で比率を調整する。更に好ましくは、調整回路１２は、図６及び図７においても示されるように、時間間隔の間、ドライバ１の入力電流信号が閾値よりも大きい瞬時値を有する当該時間間隔が増大されるように比率を調整する。
【００３４】
図２において、最後に、接地等の第１の基準電位に結合される第１の端子１７が示され、ドライバ１の入力電圧信号を受信するための第２の端子１８が示され、電源電圧等の第２の基準電位に結合される第３の端子１９が示される。調整回路１２及び出力インターフェース１３の各々は、端子１７〜１９の各々に結合され、アレンジメント１１は、端子１７及び１９に結合される。
【００３５】
図３において、調整回路１２の実施形態が示される。調整回路１２のこの実施形態は、入力電圧信号の検出瞬時値を調整するための第１の回路２１〜２９と、入力電圧信号の検出平均値を調整するための第２の回路３１〜３８とを含む。好ましくは、第１の回路２１〜２９は、入力電圧信号の周期の様々な部分の間、様々な態様で入力電圧信号の検出瞬時値を調整する。
【００３６】
第１の回路２１〜２９は、例えば、入力電圧信号の周期の０度前後及び１８０度前後で入力電圧信号の第１のグループの検出瞬時値の急峻度を増大させるためのエッジ整形器２１、２２と、入力電圧信号の周期の１度以上１７９度以下の間で入力電圧信号の第２のグループの検出瞬時値にタイムラグを導入するための遅延導入器２３、２４と、入力電圧信号の周期の９０度前後で入力電圧信号の第３のグループの検出瞬時値をより正弦波にするための頂点整形器とを含む。
【００３７】
エッジ整形器２１、２２は、例えば第１のダイオード２１と第１の抵抗器２２との第１の並列接続を含み、遅延導入器２３、２４は、例えば第１のキャパシタ２３と第２の抵抗器２４との第２の並列接続を含み、頂点整形器は、例えば第３の抵抗器２５を含む。第１の並列接続の一方側は、接地等の第１の基準電位に結合される第１の端子１７に結合され、第２の並列接続の一方側は、第１の並列接続の他方側に結合される。第３の抵抗器２５の一方側は、第２の並列接続の他方側に結合され、第４の抵抗器２６の一方側が、第３の抵抗器２５の他方側と第５の抵抗器２９の一方側とに結合される。第４の抵抗器２６の他方側は、ドライバ１の入力電圧信号を受信するための第２の端子１８に結合され、第５の抵抗器２９の他方側は、第６の抵抗器２８と第２のキャパシタ２７との第３の並列接続の一方側と、アレンジメント１１に入力電圧信号の調整された検出瞬時値を提供するためのアレンジメント１１の第１の入力１４とに結合される。第３の並列接続の他方側は、第１の端子１７に結合される。この実施形態によると、第３の抵抗器２５は、総高調波歪みを低減させ、力率を改善させる。
【００３８】
第２の回路３１〜３８は、例えばドライバ１の入力電圧信号の検出平均値の最小値を制限するためのリミッタ３１〜３３を含む。リミッタ３１〜３３は、例えば第７の抵抗器３１と第２のダイオード３２と第３のダイオード３３とを含む。第７の抵抗器３１の一方側は、例えば電源電圧等の第２の基準電位に結合される第３の端子１９に結合され、第２のダイオード３２の一方側は、第７の抵抗器３１の他方側と第３のダイオード３３の一方側とに結合される。第２のダイオード３２の他方側は、第１の端子１７に結合され、第３のダイオード３３の他方側は、第３のキャパシタ３４の一方側と、第８の抵抗器３５の一方側と、第９の抵抗器３６の一方側とに結合される。第８の抵抗器３５の他方側は、第２の端子１８に結合され、第３のキャパシタ３４の他方側は、第１の端子１７に結合される。第９の抵抗器３６の他方側は、第１０の抵抗器３７と第４のキャパシタ３８との第４の並列接続の一方側と、アレンジメント１１に入力電圧信号の調整された検出平均値を提供するためのアレンジメント１１の第２の入力１５とに結合される。第４の並列接続の他方側は、第１の端子１７に結合される。この実施形態によると、第２の回路３１〜３８は、ランプ２（の光強度）が調光器３（の導通角）に対してどのように反応するかを改善する。
【００３９】
当業者は、上述の第１の回路及び第２の回路を構築するために多くの様々な実施形態が可能であることを理解するであろう。
【００４０】
図４において、従来技術のドライバの入力電流信号の従来技術の波形が示される。時間間隔４３は、従来技術のドライバの入力電流信号が、（例えば調光器の保持電流閾値等といった）閾値４５よりも大きい時間の量を規定する。
【００４１】
図５において、入力電圧信号の従来技術の波形５１及び改善された波形５２が示される。改善された波形５２は、調整回路１２の導入の結果である。
【００４２】
図６において、入力電流信号のシミュレートされた波形が示される。従来技術の入力電流６１及び改善された入力電流６２が示される。また、時間間隔の間、従来技術の入力電流６１及び改善された入力電流６２が閾値６５よりも大きい、従来技術の当該時間間隔６３及び改善された当該時間間隔６４が示される。
【００４３】
図７において、入力電流信号の測定波形が示される。従来技術の入力電流７１及び改善された入力電流７２が示される。また、時間間隔の間、従来技術の入力電流７１及び改善された入力電流７２が閾値７５よりも大きい、従来技術の当該時間間隔７３及び改善された当該時間間隔７４が示される。
【００４４】
図６及び図７の両方に対して、改善された時間間隔６４及び７４は、従来技術の時間間隔６３及び７３よりも明らかに長い。少なくとも一部の調光器は、ドライバの入力電流信号が比較的長い時間間隔の間、比較的低い値を有するのを好まない。調整回路１２はこの問題を軽減させる。
【００４５】
図８において、調光曲線が示される。縦軸はランプ２の光強度を規定し、横軸は調光器３の導通角を規定する。この導通角は、メイン電圧信号の周期（の半分）の一部分の間、調光器３が導通する当該一部分を規定する。
【００４６】
図９において、入力電圧信号の検出平均値を変調するための第３の回路９１〜９６が示される。この第３の回路９１〜９６は、ブリーダ機能を導入し、例えば第１のトランジスタ９１と第２のトランジスタ９２とを含む。第１１の抵抗器９３の一方側が、第２の端子１８に結合され、第１１の抵抗器９３の他方側は、第１のトランジスタ９１の制御電極と、第１２の抵抗器９４を介して第１の端子１７とに結合される。第１のトランジスタ９１の第１の主電極は、第１の端子１７に結合され、第１のトランジスタ９１の第２の主電極は、第２のトランジスタ９２の制御電極と、第１３の抵抗器９５を介して第３の端子１９とに結合される。第２のトランジスタ９２の第１の主電極は、第１の端子１７に結合され、第２のトランジスタ９２の第２の主電極は、第１４の抵抗器９６を介して、アレンジメント１１に入力電圧信号の変調された検出平均値を提供するためのアレンジメント１１の第２の入力１５に結合される。
【００４７】
図１０において、入力電圧信号の検出瞬時値を変調するための第４の回路１０１〜１０５が示される。この第４の回路１０１〜１０５は、ブリーダ機能を導入し、例えば第３のトランジスタ１０３と第４のダイオード１０４とを含む。第１５の抵抗器１０１の一方側が、第２の端子１８に結合され、第１５の抵抗器１０１の他方側は、第３のトランジスタ１０３の制御電極と、第１６の抵抗器１０２を介して第１の端子１７とに結合される。第３のトランジスタ１０３の第１の主電極は、第１の端子１７に結合され、第３のトランジスタ１０３の第２の主電極は、第４のダイオード１０４の一方側と、第１７の抵抗器１０５を介して第３の端子１９とに結合される。第４のダイオード１０４の他方側は、アレンジメント１１に入力電圧信号の変調された検出瞬時値を提供するためのアレンジメント１１の第１の入力１４に結合される。
【００４８】
図１１において、ＳＯＩＣ‐８のパッケージにおいて利用可能なＡＰ１６８２の形式の従来技術のアレンジメント１１が示される。第１の入力１４及び第２の入力１５並びに出力１６を表すピンは、既に上述されている。第１の端子１７及び第３の端子１９を表すピンは、既に上述されている。ピン１１１は、無接続ピンである。ピン１１２は、電流感知ピンである。ピン１１３は、電流／電圧フィードバックピンである。
【００４９】
要約すると、入力電圧信号の瞬時値及び平均値の検出に応じて出力電流を提供するためのアレンジメント１１を有する、発光ダイオードを含むランプ２を駆動するためのドライバ１が提供される。検出平均値によって除算された検出瞬時値は比率を形成する。一部の比率を調整するための調整回路１２が、ドライバ１を調光対応にする。調光回路１２は、検出瞬時値を調整するための第１の回路２１〜２９と、検出平均値を調整するための第２の回路３１〜３８と、ブリーダ機能を追加するために検出平均値及び検出瞬時値をそれぞれ変調するための第３の回路９１〜９６及び第４の回路１０１〜１０５とを含む。調整回路１２は、入力電圧信号の周期の様々な部分の間、様々な態様で比率を調整し、また、時間間隔の間、ドライバ１の入力電流信号が閾値よりも大きい瞬時値を有する当該時間間隔が増大されるように、比率を調整し得る。
【００５０】
本発明は、図面及び前述の説明において詳細に例示され説明されたが、こうした例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組み合わせを有利に使用できないことを意味するわけではない。請求項のいかなる参照符号も、範囲を限定するものとして解釈されるべきではない。
【図１】
0006312699.tif 000002
【図２】
0006312699.tif 000003
【図３】
0006312699.tif 000004
【図４】
0006312699.tif 000005
【図５】
0006312699.tif 000006
【図６】
0006312699.tif 000007
【図７】
0006312699.tif 000008
【図８】
0006312699.tif 000009
【図９】
0006312699.tif 000010
【図１０】
0006312699.tif 000011
【図１１】
0006312699.tif 000012